(57)【要約】【課題】表皮一体発砲成形によるクッション材の充填がより均一なヘッドレストを備える車両用シートを提供することである。【解決手段】車両用シートは、ヘッドレストと、前記ヘッドレストが装着されるシートバックと、前記シートバックに連結されるシートクッションと、を備える。前記ヘッドレストは、前記シートバックに装着されるピラーフレームと、一端から他端に貫通する注入経路を有する芯材と、前記ピラーフレームの一部と前記芯材とを被うカバーと、前記芯材の外面と前記カバーの内面との間隙および前記注入経路内に形成されるクッション材と、を備える。前記注入経路は前記芯材の前記一端から第一方向に伸びて所定の位置に達し、前記所定の位置から第二方向に伸びて前記他端に達し、前記所定の位置に屈曲部を有する。【選択図】図３
2019123302.tif 000002
【特許請求の範囲】
【請求項１】
以下を含む車両用シート：
ヘッドレスト；
前記ヘッドレストが装着されるシートバック；
前記シートバックに連結されるシートクッション；
ここで、前記ヘッドレストは以下を含む：
前記シートバックに装着されるピラーフレーム；
一端から他端に貫通する注入経路を有する芯材；
前記ピラーフレームの一部と前記芯材とを被うカバー；
前記芯材の外面と前記カバーの内面との間隙および前記注入経路内に形成されるクッション材；
ここで、前記注入経路は前記芯材の前記一端から第一方向に伸びて所定の位置に達し、前記所定の位置から第二方向に伸びて前記他端に達し、前記所定の位置に屈曲部を有する。
【請求項２】
請求項１の車両用シートにおいて、
前記注入経路は左右方向の中央部に位置する。
【請求項３】
請求項２の車両用シートにおいて、
前記カバーは前記注入経路にクッション材の発泡原料を注入する注入ノズルが挿入される注入孔を有し、
前記注入孔から前記第一方向に前記芯材の前記一端側の前記注入経路の端部が位置する。
【請求項４】
請求項３の車両用シートにおいて、
前記注入経路の口径は前記注入ノズルの外径よりも大きく、前記注入経路と前記注入ノズルとの間に隙間を有する。
【請求項５】
請求項４の車両用シートにおいて、
前記注入経路の断面は円形状であり、口径は２０ｍｍ以下である。
【請求項６】
請求項５の車両用シートにおいて、
前記第二方向は前記第一方向よりも前記ヘッドレストの前側に向いている。
【請求項７】
以下を含む車両用シート：
ヘッドレスト；
前記ヘッドレストが装着されるシートバック；
前記シートバックに連結されるシートクッション；
ここで、前記ヘッドレストは以下を含む：
前記シートバックに装着されるピラーフレーム；
一端から他端に貫通する注入経路を有する芯材；
前記ピラーフレームの一部と前記芯材とを被うカバー；
前記芯材の外面と前記カバーの内面との間隙および前記注入経路内に形成されるクッション材；
ここで、前記注入経路は前記芯材の前記一端から第一方向に伸びて前記他端に達し、前記一端と前記他端との間の所定の位置にロッドを有する。
【請求項８】
請求項７の車両用シートにおいて、
前記注入経路は左右方向の中央部に位置する。
【請求項９】
請求項８の車両用シートにおいて、
前記カバーは前記注入経路にクッション材の発泡原料を注入する注入ノズルが挿入される注入孔を有し、
前記注入孔から前記第一方向に前記芯材の前記一端側の前記注入経路の端部が位置する。
【請求項１０】
請求項９の車両用シートにおいて、
前記注入経路の口径は前記注入ノズルの外径よりも大きい。
【請求項１１】
請求項１０の車両用シートにおいて、
前記注入経路の断面は円形状であり、口径は２０ｍｍ以下である。
【請求項１２】
以下を含むヘッドレストの製造方法：
（ａ）ピラーフレームと、発泡原料を攪拌する攪拌手段を有する注入経路が形成された芯材と、袋状に縫製された表皮材と、を準備する工程；
（ｂ）前記芯材を前記ピラーフレームに固定する工程；
（ｂ）前記表皮材の袋の中に前記芯材および前記ピラーフレームを挿入する工程；
（ｄ）前記表皮材、前記芯材および前記ピラーフレームを金型にセットする工程；
（ｅ）注入ノズルから前記発泡原料を前記表皮材内に注入しクッション材を形成する工程、
ここで、前記（ｅ）工程は以下を含む：
（ｅ１）前記注入経路の一端に前記注入ノズルを挿入する工程；
（ｅ２）前記注入ノズルから前記発泡原料を前記注入経路に注入する工程；
（ｅ３）前記注入された発泡原料を前記攪拌手段で攪拌する工程；
（ｅ４）前記注入経路の他端に前記注入された発泡原料の一部を拡散させ、前記注入経路の一端に前記注入された発泡原料の一部を拡散させ、前記芯材の外面と前記表皮材の内面との間隙にクッション材を形成する工程。
【請求項１３】
請求項１２のヘッドレストの製造法において、
前記攪拌手段は、前記芯材の前記一端から第一方向に伸びて所定の位置に達し、前記所定の位置から第二方向に伸びて前記他端に達し、前記所定の位置に形成された屈曲部である。
【請求項１４】
請求項１２のヘッドレストの製造法において、
前記攪拌手段は、前記芯材の前記一端から第一方向に伸びて前記他端に達し、前記一端と前記他端との間の所定の位置に形成されるロッドである。
【発明の詳細な説明】
【技術分野】
【０００１】
本開示は車両用シートに関し、例えば表皮一体発泡成形されるヘッドレストを備える車両用シートに適用することができる。
【背景技術】
【０００２】
近年、例えば、軽量化のためにパッド層の厚さを薄くする機構（衝撃吸収部材）、ヘッドレス卜の前後位置を調整するための機構（位置調整機構）、スピーカーなどの音響を提供するための機構（音響機構）などを表皮部材内に挿入したヘッドレストが求められるようになっている。このような場合に、パッド層を表皮部材と一体発泡しようとすると、これらの機構がポリウレタンフォーム原料の発泡作用の妨げとなり、均等な発泡ができず、ガスだまりなどにより欠肉が生じやすいという問題がある（国際公開第２０１６／１１７６８７号明細書（特許文献１））。
【０００３】
そこで、特許文献１では、シート取り付け時の姿勢でヘッドレストの上下方向となる方向にほぼ沿うように真っすぐに形成された発泡原料注入経路を有する注入経路形成部材を表皮部材内にセットし、発泡原料注入経路を通じてパッド層を形成する発泡原料を注入している。より具体的には、注入経路形成部材である発泡成形体は、左右の側部支持部材間に収まる幅を有する略直方体形状に形成されていると共に、幅方向略中央部に上下方向に貫通する発泡原料注入経路が形成されている。注入ノズルから注入された発泡原料は、発泡原料注入経路を通過して、ヘッドレストの頂部側へと流入し、発泡成形体の外面と、表皮部材の内面との間隙に頂部側から下部側へ流動するように拡散する。
【先行技術文献】
【特許文献】
【０００４】
【特許文献１】国際公開第２０１６／１１７６８７号明細書
【発明の概要】
【発明が解決しようとする課題】
【０００５】
しかし、特許文献１では、発泡成形体の外面と表皮部材の内面との間隙が狭い場合、揺動する頭部支持プレート等による間隙を拡大するものがないと、下部側への発泡原料の到達に時間を要し下部側でのポリウレタン（クッション材）の充填が不足する。
本開示の課題は、表皮一体発砲成形によるクッション材の充填がより均一なヘッドレストを備える車両用シートを提供することである。
その他の課題と新規な特徴は、本明細書の記述および添付図面から明らかになるであろう。
【課題を解決するための手段】
【０００６】
本開示のうち代表的なものの概要を簡単に説明すれば下記の通りである。
すなわち、車両用シートは、ヘッドレストと、前記ヘッドレストが装着されるシートバックと、前記シートバックに連結されるシートクッションと、を備える。前記ヘッドレストは、前記シートバックに装着されるピラーフレームと、一端から他端に貫通する注入経路を有する芯材と、前記ピラーフレームの一部と前記芯材とを被うカバーと、前記芯材の外面と前記カバーの内面との間隙および前記注入経路内に形成されるクッション材と、を備える。前記注入経路は前記芯材の前記一端から第一方向に伸びて所定の位置に達し、前記所定の位置から第二方向に伸びて前記他端に達し、前記所定の位置に屈曲部を有する。
【発明の効果】
【０００７】
上記車両用シートによれば、クッション材の充填をより均一にすることができる。
【図面の簡単な説明】
【０００８】
【図１】図１は実施形態に係る車両用シートを示す斜視図である。
【図２】図２は図１のヘッドレストを拡大して示す斜視図である。
【図３】図３は図２における切断面Ａに沿った縦断面図である。
【図４】図４はヘッドレストフレームおよびカバーを金型に配置した状態を示す模式的な断面図である。
【図５】図５は比較例１のヘッドレストを示す模試的な断面図である。
【図６】図６は比較例２のヘッドレストを示す模試的な断面図である。
【図７】図７は変形例１のヘッドレストを示す模式的な断面図である。
【図８】図８は図７の注入経路の上面図であり、図８（Ａ）は攪拌ロッドが複数本ある場合の図であり、図８（Ｂ）は攪拌ロッドが一本ある場合の図である。
【図９】図９は変形例２のヘッドレストを示す模式的な断面図である。
【発明を実施するための形態】
【０００９】
以下、実施形態について、図面を用いて説明する。ただし、以下の説明において、同一構成要素には同一符号を付し繰り返しの説明を省略することがある。なお、図面は説明をより明確にするため、実際の態様に比べ、各部の幅、厚さ、形状等について模式的に表される場合があるが、あくまで一例であって、本発明の解釈を限定するものではない。
【００１０】
（車両用シート）
実施形態に係る車両用シートについて図１を用いて説明する。図１は実施形態に係る車両用シートを示す斜視図である。ここに示す車両用シート１は、例えば、車両の一種類である自動車の内部に設置される複数のシートのうちの１つである。なお、以下の説明では、車両用シート１を搭載する車両が水平面上に置かれた場合を基準として、鉛直方向を上下方向（ＵＰ，ＤＷ）と定義する。また、前後方向（ＦＲ，ＲＲ）は車両の前後方向に一致するように、左右方向（幅方向）は車両の幅方向に一致するように、定義される。ＦＲは車両の前側方向であり、ＲＲは車両の後側方向である。また、車両用シート１について、車両の後から見て右側（ＲＨ）、左側（ＬＨ）と呼んで説明する。
【００１１】
車両用シート１は、搭乗者が座る部分であるシートクッション２と、シートクッション２の後端に立設されたシートバック３と、シートバック３の上端部に装着されたヘッドレスト４とを備えている。
【００１２】
シートクッション２は、車両の床に取り付けられているが、前後方向に位置を調節可能に、あるいは高さの調節が可能状態にする機構を備えることができる。
【００１３】
シートバック３は、背もたれを構成する部分であり、下端部に設けられた回動軸（不図示）を中心として回動可能な状態で、シートクッション２に連結されている。すなわち、車両用シート１には、シートバック３を後方へ傾斜させるリクライニング機能や、シートバック３を前方へ傾斜させる前倒機能が設けられ、シートバック３はシートクッション２に対して回動可能に構成される。
【００１４】
ヘッドレスト４は、高さ位置を調節可能な状態で、シートバック３に取り付けられている。
【００１５】
シートクッション２、シートバック３およびヘッドレスト４は、内部に骨格部材となるフレームと発泡樹脂などからなるクッション材とが設けられ、クッション材の表面をカバー９で覆う構成である。
【００１６】
（ヘッドレスト）
ヘッドレストについて図２、３を用いて説明する。図２は図１のヘッドレストを拡大して示す斜視図である。図３は図２における切断面Ａに沿った縦断面図である。
【００１７】
ヘッドレスト４は、ヘッドレストフレーム８とカバー９とクッション材５とを有している。ヘッドレストフレーム８は、芯材６と、ピラーフレーム７ａ，７ｂと、ピラーフレーム７ａ，７ｂとを接続するフレーム７ｃと、芯材６を固定するサポートワイヤ７ｄと、芯材６を固定するブラケット７ｅ，７ｆと、を有している。ピラーフレーム７ａ，７ｂとフレーム７ｃは例えば一本の金属製のパイプを曲げて形成され、略垂直方向に伸びている左右一対の縦フレーム部がピラーフレーム７ａ，７ｂである。サポートワイヤ７ｄは例えば金属製のワイヤを曲げて形成され、フレーム７ｃに固着されている。ブラケット７ｅ，７ｆはフレーム７ｃに固着されている。
【００１８】
芯材６は前側芯材と後側芯材または右側芯材と左側芯材または上側芯材と下側芯材とを結合することによって形成されている。芯材６は硬質樹脂、例えばＰＰ（ポリプロピレン）、ＡＢＳ樹脂によって形成されている。なお、芯材６は例えば背景技術に記載したような機構の筐体であり、音響機構の例ではスピーカボックスに該当する。
【００１９】
芯材６の左右方向の中央付近に上下方向に貫通する孔である注入経路６１が形成されている。注入経路６１は芯材６の下端から上方（第一方向）に伸びて中央付近（所定の位置）で前方側に屈曲して芯材６の上端（第二方向）に伸びている。注入経路６１の延伸方向に垂直の断面は円形状である。第一方向と第二方向とのなす角は０度よりも大きく９０度よりも小さい。
【００２０】
カバー９は、表皮材を縫い合わせることによって袋状に形成されている。カバー９の底部には開口が形成されている。ヘッドレストフレーム８の芯材６をカバー９の底部の開口からカバー９の内部へ挿入して開口を塞ぐことにより、芯材６がカバー９で覆われている。また、カバー９の底部の開口を塞いだ状態の底部に後述する注入ノズル２２が挿入される注入孔９ａが設けられる。注入孔９ａから第一方向に注入経路６１の下端が位置する。なお、芯材６とカバー９の間には後述する方法によりクッション材５が形成されている。クッション材５としては、例えばポリウレタンフォームを用いている。ピラーフレーム７ａ，７ｂはカバー９の外部へ延出している。図１に示すように、ピラーフレーム７ａ，７ｂをシートバック３の頂部に設けた孔（ヘッドレストガイド）３ａ，３ｂに差し込むことにより、ヘッドレスト４がシートバック３に装着されている。
【００２１】
次に、本実施形態のヘッドレス卜４の製造方法（表皮一体発泡成形）について図４を用いて説明する。図４はヘッドレストフレームおよびカバーを金型に配置した状態を示す模式的な断面図である。
【００２２】
まず、袋状に形成されたカバー９内に、カバー９の底部に形成された開口を通して、芯材６を備えたヘッドレストフレーム８を挿入する。その後、カバー９の底部の開口を塞ぐことにより、注入孔９ａを除いて、芯材６はカバー９により完全に覆われる。この状態で、ピラーフレーム７ａ、７ｂは、図示しない２つの孔を介してカバー９の外部に延出している。つづいて、注入ノズル２２を、その先端部分をカバー９内に入り込むように、注入孔９ａからカバー９の内部に挿入する。続いて、金型２１内に、カバー９をセットすると共に、芯材６を備えたヘッドレストフレーム８を、カバー９内の所定位置にセットする。金型２１内にセッ卜する場合、ヘッドレストフレーム８のピラーフレーム７ａ，７ｂは、シートバック３への取り付け時に下端となる端部が、金型２１に形成された貫通孔（不図示）を介して外方に突出するように所定位置にセットされる。このピラーフレーム７ａ、７ｂの所定位置へのセットによって、芯材６を備えたヘッドレストフレーム８の金型内部での位置決めが行なわれる。そして、同様にピラーフレーム７ａ，７ｂが突出している部分間に位置する注入ノズル２２も、金型内の所定位置にセットされ、位置決めが行なわれる。このピラーフレーム７ａ、７ｂの金型内での位置決め、および注入ノズル２２の金型内での位置決めによって、芯材６の注入経路６１に対する注入ノズル２２の配置が行なわれ、後述する逆流時の隙間が確保される。その後、注入ノズル２２を介して発泡原料（例えばポリウレタンフォーム原料）を注入機２３から金型内に注入する。このとき、金型２１の注入孔２１ａが上部にくるようにして金型２１の上方の注入機２３が配置される。よって、図４の芯材９およびカバー９は図３とは上下が反対になっている。
【００２３】
具体的には、芯材６には、注入経路６１が形成されており、この注入経路６１に注入ノズル２２が挿入され、注入機２３から所定の圧力で発泡原料が注入される。注入ノズル２２から注入された発泡原料は、注入経路６１の屈曲部（Ｅ部）に発泡原料が当ることで、攪拌が促進され、発泡原料が注入経路６１を塞ぐ。このことにより、一部の発泡原料は、注入経路６１を通過して、直接的にヘッドレスト４の頂部側（Ａ部）へと流入し、一部の発泡原料は、ヘッドレスト４の下部側（Ｂ部）に残すことができるため、発泡原料はＡ部とＢ部の両方から芯材６の外面とカバー９の内面との間隙に流動するように拡散する。これにより、発泡原料は発泡開始時までにすべての間隙に行き渡って発泡するため、クッション材５が充填される。なお、クッション材５は芯材６の外面とカバー９の内面との間隙に形成されるが、注入経路６１内にも形成される。
【００２４】
注入経路６１の口径は、注入された発泡原料が逆流できるように注入ノズル２２の注入経路６１に挿入される部分の外径よりも大きく、注入ノズル２２と注入経路６１との間に隙間を有する。注入ノズルの外径に対して注入経路６の内径を２．５〜５倍に設定することが好ましい。また、注入経路６１の口径は２０ｍｍ以下が好ましい。例えば、発泡原料の秒間吐出量：170〔g/sec〕、ウレタン密度：0.050〔g/cm3〕、反応速度（RiseTime）：約10〔sec〕の場合、注入経路の口径は２０ｍｍ以下であればよい。流速を上げる（早く充填する）ためには、注入経路６１の口径は細い方が好ましい。
【００２５】
次に、芯材の注入経路の構造が実施形態と異なる例（比較例１、２）について図５、６を用いて説明する。図５は比較例１のヘッドレストを示す模試的な断面図あり、注入ノズルが挿入された状態を示す図である。図６は比較例２のヘッドレストを示す模試的な断面図あり、注入ノズルが挿入された状態を示す図である。
【００２６】
図５に示すように、比較例１のヘッドレスト４Ｒの芯材６Ｒは直線状の注入経路６１Ｒを有する。芯材６Ｒでは、注入経路６１Ｒに屈曲部がないため、直接的に、頂部側（Ａ部）へすべての発泡原料を流し込まれる。よって、頂部側（Ａ部）と底部側（Ｂ部）の間の前部（Ｃ部）または後部側（Ｄ部）の芯材６Ｒとカバー９Ｒとの間隙が狭い場合、Ｂ部への発泡原料の到達に時間を要し、発泡開始時までにＢ部に発泡材料が充分に拡散されず、Ｂ部でのクッション材の充填が不足する。
【００２７】
図６に示すように、比較例２のヘッドレスト４Ｓの芯材６Ｓは実施形態よりも口径が大きい注入経路６１Ｓを有する。芯材６Ｓでは、注入経路６１Ｓに屈曲部があるが口径が大きいため、比較例１と同様に、直接的に、Ａ部へすべての発泡原料を流し込まれる。よって、Ａ部とＢ部の間のＣ部またはＤ部の芯材６Ｓとカバー９との間隙が狭い場合、Ｂ部への発泡原料の到達に時間を要し、発泡開始時までにＢ部に発泡材料が充分に拡散されず、Ｂ部でのクッション材の充填が不足する。
【００２８】
実施形態では、屈曲した細い口径の注入経路を設けることで発泡原料を全量送り込まない（送り込めない）構造を有し、注入途中で、発泡原料を詰まらせ、オーバーフローさせることで発泡原料の一部を注入手前へ残すことができる。
【００２９】
実施形態によれば、製品毎にＣ部またはＤ部の狭さを考慮しながら、注入経路の太さを設定することでＡ部とＢ部への発泡原料注入配分を制御することができる。
【００３０】
＜変形例＞
以下、代表的な変形例について、幾つか例示する。以下の変形例の説明において、上述の実施形態にて説明されているものと同様の構成および機能を有する部分に対しては、上述の実施形態と同様の符号が用いられ得るものとする。そして、かかる部分の説明については、技術的に矛盾しない範囲内において、上述の実施形態における説明が適宜援用され得るものとする。また、上述の実施形態の一部、および、複数の変形例の全部または一部が、技術的に矛盾しない範囲内において、適宜、複合的に適用され得る。
【００３１】
（変形例１）
実施形態では注入経路に屈曲部を有していたが、発泡原料が攪拌される構造であればよい。変形例１では注入経路は屈曲部に代えて攪拌用ロッドを有する。変形例１のヘッドレストについて図７、８を用いて説明する。図７は変形例１のヘッドレストを示す模式的な断面図あり、注入ノズルが挿入された状態を示す図である。図８は図７の注入経路の上面図であり、図８（Ａ）は攪拌ロッドが複数本ある場合の図であり、図８（Ｂ）は攪拌ロッドが一本ある場合の図である。
【００３２】
変形例１のヘッドレスト４Ａの注入経路６１Ａは、比較例１と同様に、芯材６Ａの下端から上方に直線的に伸びて上端に達する。注入経路６１Ａの上下方向の中央部（所定の位置）に発泡原料の攪拌用ロッド６２Ａを有する。図８に示すように、ロッド６２Ａは一本でも複数本（図では３本）でもよい。ロッド６２Ａは実施形態の注入経路の屈曲部と同様の作用効果を有する。すなわち、注入ノズル２２から注入された発泡原料は、注入経路６１Ａの攪拌用ロッド６２Ａに発泡原料が当ることで、攪拌が促進され、発泡原料が注入経路６１Ａを塞ぐ。このことにより、一部の発泡原料は、注入経路６１を通過して、直接的にヘッドレスト４のＡ部へと流入し、一部の発泡原料は、ヘッドレスト４のＢ部に残すことができるため、発泡原料はＡ部とＢ部の両方から芯材６Ａの外面とカバー９Ｒの内面との間隙に流動するように拡散する。これにより、発泡原料は発泡開始時までにすべての間隙に行き渡って発泡するため、クッション材が充填される。
【００３３】
変形例１では、注入経路に攪拌ロッドを設けることで発泡原料を全量送り込まない（送り込めない）構造を有するので、実施形態と同様に、注入途中で、発泡原料を詰まらせ、オーバーフローさせることで原料の一部を注入手前へ残すことができる。
【００３４】
変形例１によれば、製品毎にＣ部またはＤ部の狭さを考慮しながら、攪拌ロッドの本数や太さにより隙間を設定することでＡ部とＢ部への発泡原料注入配分を制御することができる。
【００３５】
（変形例２）
次に、注入ノズルの構造が実施形態と異なる例（変形例２）について図９を用いて説明する。図９は変形例２のヘッドレストを示す模式的な断面図あり、注入ノズルが挿入された状態を示す図である。
【００３６】
変形例２のヘッドレスト４Ｂは、比較例１と同様の直線状の注入経路６１Ｒを有する芯材６Ｒを備える。一方、変形例２の注入ノズル２２Ｂは注入経路６１Ｂの延伸方向に噴出する孔と、注入経路６１Ｒには挿入されない位置においてヘッドレストの前後方向に噴出する孔を有し、３方向に発泡原料を噴出する。注入ノズル２２Ｂを使用することで、実施形態と同様に、Ａ部とＢ部に発泡原料を同時に充填することができる。ただし、Ｃ部またはＤ部の狭さに応じて、専用ノズルを設定（製作）する必要がある。
【００３７】
以上、本発明者によってなされた発明を実施形態および変形例に基づき具体的に説明したが、本発明は、上記実施形態および変形例に限定されるものではなく、種々変更可能であることはいうまでもない。
【００３８】
実施形態では、注入経路を前方側に屈曲する例を説明したが、これに限定されるものではなく、後方側に屈曲してもよい。
【００３９】
また、実施形態では、ヘッドレストの底部を上にして（頂部を下にして）発泡原料を注入する例を説明したが、これに限定されるものではなく、ヘッドレストを横にして発泡原料を注入してもよい。
【符号の説明】
【００４０】
１：車両用シート
２：シートクッション
３：シートバック
４：ヘッドレスト
５：クッション材
６：芯材
６１：注入経路
７ａ，７ｂ：ピラーフレーム
８：ヘッドレストフレーム
９：カバー
２１：金型
２２：注入ノズル
２３：注入機
【図１】
2019123302.tif 000003
【図２】
2019123302.tif 000004
【図３】
2019123302.tif 000005
【図４】
2019123302.tif 000006
【図５】
2019123302.tif 000007
【図６】
2019123302.tif 000008
【図７】
2019123302.tif 000009
【図８】
2019123302.tif 000010
【図９】
2019123302.tif 000011